(57)【要約】【課題】動きの激しい被写体を連続撮影するような場合であっても高画質を維持しながら連続撮影の高速化を実現できるようにする。【解決手段】連続撮影を指示するシャッタキー押下操作に応答して被写体の明るさに応じて適正な露出値を求める「露出演算」を行った後、絞り、ＮＤ（減光）フィルタを駆動してそれを開放させる動作は行わず、直ちに「閉」の動作、つまり、露出の演算結果に応じて絞り、ＮＤフィルタを駆動して撮影用として適正な露出を調整設定する動作に移る。そして、ＡＦ処理後は、「閉」を行わずに、直ちに「撮影処理」に移行する。これによって２枚目以降の撮影時には、絞り、ＮＤフィルタの設定値を固定したままの状態においてシャッタキー押下操作が解放されるまで撮影毎に「ＡＦ処理」、「撮影処理」を順次繰り返す。【選択図】  図２
2014074829.tif 000002
【特許請求の範囲】
【請求項１】
撮影の開始指示から終了指示まで複数枚連続して撮影する連続撮影手段を備えた撮像装置であって、
合焦レンズを移動させて焦点を調整して設定する焦点調整手段と、
被写体の明るさに応じて所定の露出条件を調整して設定する露出調整手段と、
前記焦点調整手段、前記露出調整手段のうち、前記連続撮影手段による撮影開始時には前記露出調整手段による露出の調整設定のみを行わせ、その開始以降の連続撮影時には前記焦点調整手段による焦点の調整設定のみを行わせるように前記焦点調整手段及び前記露出調整手段の駆動を制御する駆動制御手段と、
を備えたことを特徴とする撮像装置。
【請求項２】
前記駆動制御手段は、前記開始以降の連続撮影時には、前記連続撮影手段による撮影開始時に前記露出調整手段によって設定された所定の露出条件である少なくとも絞り、減光フィルタのいずれかを適正な露出に固定させた状態において前記焦点調整手段による焦点の調整設定のみを行わせる、
ようにしたことを特徴とする請求項１に記載の撮像装置。
【請求項３】
前記焦点調整手段は、被写体画像のコントラスト値に応じて焦点を調整するコントラスト検出方式の焦点調整手段であり、
前記被写体画像のコントラスト値に応じて焦点を調整する際に、コントラストの低下を補正する補正手段を更に備える、
ようにしたことを特徴とする請求項１あるいは請求項２に記載の撮像装置。
【請求項４】
前記補正手段は、少なくとも絞り、減光フィルタのいずれかを開放したときのコントラストに近づけるようにコントラストを補正する、
ようにしたことを特徴とする請求項３に記載の撮像装置。
【請求項５】
前記連続撮影手段による連続撮影と、撮影指示に応じて単一の撮影を行う単一撮影とを切り替える切替手段を更に備え、
前記駆動制御手段は、単一撮影時には、少なくとも絞り、減光フィルタのいずれかを開放させた後に、前記焦点調整手段による焦点調整を行わせて焦点を適正に設定する、
ようにしたことを特徴とする請求項１〜請求項４のいずれかに記載の撮像装置。
【請求項６】
前記駆動制御手段は、前記連続撮影手段による連続撮影毎に、前記連続撮影手段による撮影開始時には前記露出調整手段による露出の調整設定のみを行わせ、その開始以降の連続撮影時には前記焦点調整手段による焦点の調整設定のみを行わせるように制御する第１の動作モードと、少なくとも絞り、減光フィルタのいずれかを開放させた後に前記焦点調整手段による焦点調整を行わせてから前記露出調整手段による露出調整を行わせて適正露出に設定するように制御する第２の動作モードとを切り替える、
ようにしたことを特徴とする請求項１〜請求項４のいずれかに記載の撮像装置。
【請求項７】
前記駆動制御手段は、前記第１の動作モードと第２の動作モードとを所定の条件に応じて切り替える、
ようにしたことを特徴とする請求項６に記載の撮像装置。
【請求項８】
撮影の開始指示から終了指示まで複数枚連続して撮影する連続撮影手段を備えた撮像装置であって、
被写体画像のコントラスト値に応じて合焦レンズを移動させながら焦点を調整して設定するコントラスト検出方式の焦点調整手段と、
被写体の明るさに応じて露出を調整して設定する露出調整手段と、
前記連続撮影手段による連続撮影毎に、前記焦点調整手段による焦点の調整設定を行わせると共にその調整中に前記露出調整手段による露出の調整設定を並列的に行わせるように前記焦点調整手段及び前記露出調整手段の駆動を制御する駆動制御手段と、
を備えたことを特徴とする撮像装置。
【請求項９】
前記焦点調整手段は、被写体画像のコントラスト適正値をサーチするに先立って、前記合焦レンズをサーチ開始位置まで戻した後に、前記合焦レンズを移動させながら被写体画像のコントラスト値が適正値であるかをサーチして、そのサーチ位置に前記合焦レンズを移動させることより焦点を調整し、
前記駆動制御手段は、前記焦点調整手段が前記合焦レンズをサーチ開始位置まで戻している期間中に前記露出調整手段を制御して、少なくとも絞り、減光フィルタのいずれかを開放させ、前記サーチ位置に前記合焦レンズを移動させている期間中に少なくとも前記絞り、減光フィルタのいずれかの設定を制御する、
ようにしたことを特徴とする請求項８に記載の撮像装置。
【請求項１０】
前記駆動制御手段は、前記連続撮影手段による連続撮影毎に、前記連続撮影手段による撮影開始時には前記露出調整手段による露出の調整設定のみを行わせ、その開始以降の連続撮影時には前記焦点調整手段による焦点の調整設定のみを行わせるように制御する第１の動作モードと、前記焦点調整手段による焦点の調整設定を行わせると共にその調整中に前記露出調整手段による露出の調整設定を並列的に行わせるように制御する第２の動作モードとを切り替える、
ようにしたことを特徴とする請求項８あるいは請求項９に記載の撮像装置。
【請求項１１】
前記駆動制御手段は、前記第１の動作モードと第２の動作モードとを所定の条件に応じて切り替える、
ようにしたことを特徴とする請求項１０に記載の撮像装置。
【請求項１２】
前記駆動制御手段は、前記連続撮影手段による連続撮影毎に、前記焦点調整手段による焦点の調整設定を行わせると共にその調整中に前記露出調整手段による露出の調整設定を並列的に行わせるように制御する第２の動作モードと、少なくとも絞り、減光フィルタのいずれかを開放させた後に前記焦点調整手段による焦点調整を行わせてから前記露出調整手段による露出調整を行わせて適正露出に設定するように制御する第３の動作モードとを切り替える、
ようにしたことを特徴とする請求項８〜請求項１１のいずれかに記載の撮像装置。
【請求項１３】
前記駆動制御手段は、前記第２の動作モードと前記第３の動作モードとを所定の条件に応じて切り替える、
ようにしたことを特徴とする請求項１２に記載の撮像装置。
【請求項１４】
合焦レンズを移動させて焦点を調整して設定する焦点調整手段と、被写体の明るさに応じて所定の露出条件を調整して設定する露出調整手段のうち、撮影の開始指示から終了指示まで複数枚連続して撮影する連続撮影手段による撮影開始時には前記露出調整手段による露出の調整設定のみを行わせるように制御するステップと、
前記開始以降の連続撮影時には前記焦点調整手段による焦点の調整設定のみを行わせるように制御するステップと、
を含むことを特徴とする撮像処理方法。
【請求項１５】
コンピュータに対して、
撮影の開始指示から終了指示まで複数枚連続して撮影する機能と、
合焦レンズを移動させて焦点を調整して設定する機能と、
被写体の明るさに応じて所定の露出条件を調整して設定する機能と、
前記複数枚の連続撮影の開始時には前記露出の調整設定のみを行わせ、その開始以降の連続撮影時には前記焦点の調整設定のみを行わせるように制御する機能と、
を実現させるためのプログラム。
【請求項１６】
撮影の開始指示から終了指示まで複数枚連続して撮影する連続撮影毎に、被写体画像のコントラスト値に応じて合焦レンズを移動させながら焦点を調整して設定する処理を行わせるように制御するステップと、
前記焦点の調整中に被写体の明るさに応じて露出を調整して設定する処理を並列的に行わせるように制御するステップと、
を含むことを特徴とする撮像処理方法。
【請求項１７】
コンピュータに対して、
撮影の開始指示から終了指示まで複数枚連続して撮影する連続撮影する機能と、
前記連続撮影毎に、被写体画像のコントラスト値に応じて合焦レンズを移動させながら焦点を調整して設定する機能と、
被写体の明るさに応じて露出を調整して設定する機能と、
前記焦点の調整設定を行わせると共にその調整中に前記露出の調整設定を並列的に行わせるように制御する機能と、
を実現させるためのプログラム。
【発明の詳細な説明】
【技術分野】
【０００１】
本発明は、撮影の開始指示から終了指示まで複数枚連続して撮影する連続撮影手段を備えた撮像装置及び撮像処理方法並びにプログラムに関する。
【背景技術】
【０００２】
撮像装置（例えば、デジタルカメラ）には、オートフォーカス（ＡＦ）の一種として合焦レンズ（フォーカスレンズ）を移動させながら、画像信号を取得してそのコントラスト値がピークとなる位置を焦点と判断して、その位置に合焦レンズを移動させることにより焦点合わせを行うコントラスト検出方式のＡＦ（オートフォーカス）機能が備えられており、また、シャッタキー押下操作により撮影開始が指示されて撮影終了が指示されるまでの間、静止画を連続的に複数枚撮影する連続撮影機能（連写機能）が備えられているものが多い。そして、従来、このようなコントラスト検出方式のＡＦ機能と連続撮影機能を備えた撮像装置にあっては、焦点調整を行いながら連続撮影を行うＡＦ追従型の機能を搭載したものが存在している（特許文献１参照）。
【先行技術文献】
【特許文献】
【０００３】
【特許文献１】特開２００２−１２２７７３号公報
【発明の概要】
【発明が解決しようとする課題】
【０００４】
このようなＡＦ追従型の機能にあっては、移動する被写体を連写する場合でも被写体の移動に追従することが可能となるために、被写体が移動する場合の連続撮影に適したものとなる。
ところで、一般に、絞りやＮＤ（減光）フィルタが必要となるような明るい環境で撮影する場合、あるいはユーザが任意の絞りやＮＤフィルタを指定して撮影する場合、ＡＦ動作時にコントラスト値のピークがサーチし易くなるようにするために、そのＡＦ動作を開始する直前に絞りやＮＤフィルタを開放させてからＡＦ動作を行うようにしていた。すなわち、図１０は、連続撮影時の動作タイミングを説明するためのタイミングチャートである。図中、「露出演算」は、被写体の明るさに応じて適正な露出値を求める動作タイミングを示し、シャッタキー押下操作の開始に応答して露出演算が行われる。そして、この「露出演算」に続く「開」は、絞りやＮＤフィルタを駆動してそれを開放させる動作タイミングを示し、ＡＦ動作を開始する前に絞りやＮＤフィルタを開放させる。
【０００５】
そして、この「開」に続く「ＡＦ処理」は、フォーカスレンズを移動させながらコントラスト値のピークをサーチするＡＦの動作タイミングを示している。この「ＡＦ処理」に続く「閉」は、撮影準備のために上述した露出演算の結果に応じて絞りやＮＤフィルタを駆動して撮影用として露出を調整設定する動作タイミングを示している。「撮影処理」は、上述のようにして調整した露出及び焦点に応じて撮影処理を行う動作タイミングを示している。このようにして１枚目の撮影が終わると、２枚目以降の撮影毎に、上述の「開」、「ＡＦ処理」、「閉」、「撮影処理」を１サイクルとして順次繰り返す。
その結果、撮影毎に絞りやＮＤフィルタの「開」、「閉」動作を行う必要があるために、それだけ連写速度が遅くなる要因となってしまう。
【０００６】
本発明の課題は、動きの激しい被写体を連続して撮影するような場合であっても高画質を維持しながら連続撮影の高速化を実現できるようにすることである。
【課題を解決するための手段】
【０００７】
上述した課題を解決するために本発明の撮影装置は、
撮影の開始指示から終了指示まで複数枚連続して撮影する連続撮影手段を備えた撮像装置であって、
合焦レンズを移動させて焦点を調整して設定する焦点調整手段と、
被写体の明るさに応じて所定の露出条件を調整して設定する露出調整手段と、
前記焦点調整手段、前記露出調整手段のうち、前記連続撮影手段による撮影開始時には前記露出調整手段による露出の調整設定のみを行わせ、その開始以降の連続撮影時には前記焦点調整手段による焦点の調整設定のみを行わせるように前記焦点調整手段及び前記露出調整手段の駆動を制御する駆動制御手段と、
を備えたことを特徴とする撮像装置である。
【０００８】
上述した課題を解決するために本発明の撮像処理方法は、
合焦レンズを移動させて焦点を調整して設定する焦点調整手段と、被写体の明るさに応じて所定の露出条件を調整して設定する露出調整手段のうち、撮影の開始指示から終了指示まで複数枚連続して撮影する連続撮影手段による撮影開始時には前記露出調整手段による露出の調整設定のみを行わせるように制御するステップと、
前記開始以降の連続撮影時には前記焦点調整手段による焦点の調整設定のみを行わせるように制御するステップと、
を含むことを特徴とする撮像処理方法である。
【０００９】
上述した課題を解決するために本発明のプログラムは、
コンピュータに対して、
撮影の開始指示から終了指示まで複数枚連続して撮影する機能と、
合焦レンズを移動させて焦点を調整して設定する機能と、
被写体の明るさに応じて所定の露出条件を調整して設定する機能と、
前記複数枚の連続撮影の開始時には前記露出の調整設定のみを行わせ、その開始以降の連続撮影時には前記焦点の調整設定のみを行わせるように制御する機能と、
を実現させるためのプログラムである。
【００１０】
上述した課題を解決するために本発明の他の撮影装置は、
撮影の開始指示から終了指示まで複数枚連続して撮影する連続撮影手段を備えた撮像装置であって、
被写体画像のコントラスト値に応じて合焦レンズを移動させながら焦点を調整して設定するコントラスト検出方式の焦点調整手段と、
被写体の明るさに応じて露出を調整して設定する露出調整手段と、
前記連続撮影手段による連続撮影毎に、前記焦点調整手段による焦点の調整設定を行わせると共にその調整中に前記露出調整手段による露出の調整設定を並列的に行わせるように前記焦点調整手段及び前記露出調整手段の駆動を制御する駆動制御手段と、
を備えたことを特徴とする撮像装置である。
【００１１】
上述した課題を解決するために本発明の他の撮像処理方法は、
撮影の開始指示から終了指示まで複数枚連続して撮影する連続撮影毎に、被写体画像のコントラスト値に応じて合焦レンズを移動させながら焦点を調整して設定する処理を行わせるように制御するステップと、
前記焦点の調整中に被写体の明るさに応じて露出を調整して設定する処理を並列的に行わせるように制御するステップと、
を含むことを特徴とする撮像処理方法である。
【００１２】
上述した課題を解決するために本発明の他のプログラムは、
コンピュータに対して、
撮影の開始指示から終了指示まで複数枚連続して撮影する連続撮影する機能と、
前記連続撮影毎に、被写体画像のコントラスト値に応じて合焦レンズを移動させながら焦点を調整して設定する機能と、
被写体の明るさに応じて露出を調整して設定する機能と、
前記焦点の調整設定を行わせると共にその調整中に前記露出の調整設定を並列的に行わせるように制御する機能と、
を実現させるためのプログラムである。
【発明の効果】
【００１３】
本発明によれば、動きの激しい被写体を連続して撮影するような場合であっても高画質を維持しながら連続撮影の高速化を実現することができ、実用性に優れたものとなる。
【図面の簡単な説明】
【００１４】
【図１】撮像装置として適用したデジタルカメラの基本的な構成要素を示したブロック図。
【図２】第１実施形態における連続撮影時の動作タイミングを説明するためのタイミングチャート。
【図３】モード変更キーの操作によって撮影モードに切り替えられた際に実行開始されるフローチャート。
【図４】絞り４ｃ、ＮＤ（減光）フィルタ４ｄを開放したときのコントラスト値の変化と、絞り４ｃ、ＮＤフィルタ４ｄを開放せずに撮影用絞り４ｃ、ＮＤフィルタ４ｄを設定したときのコントラスト値の変化を示した図。
【図５】コントラスト値生成用フィルタを用いて撮影用絞り、ＮＤフィルタ設定時のコントラス値が絞り４ｃ、ＮＤフィルタ４ｄの開放時に近づくように大きく変化させた場合を示した図。
【図６】のコントラスト値生成用フィルタの設定値を決定する際に使用されるフィルタ設定テーブルＦＴを示した図。
【図７】コントラスト検出方式のオートフォーカス（ＡＦ）機能の一般的な動作を説明するための図。
【図８】第２実施形態における連続撮影時の動作タイミングを説明するためのタイミングチャート。
【図９】第２実施形態においてモード変更キーの操作によって撮影モードに切り替えられた際に実行開始されるフローチャート。
【図１０】従来例を説明するための図で、連続撮影時の動作タイミングを示したタイミングチャート。
【発明を実施するための形態】
【００１５】
以下、本発明の実施の形態について、図面を参照して詳細に説明する。
（実施形態１）
先ず、図１〜図６を参照して本発明の第１実施形態を説明する。
本実施形態は、撮像装置としてデジタルカメラに適用した場合を例示したもので、図１は、デジタルカメラの基本的な構成要素を示したブロック図である。
デジタルカメラは、静止画像のほかに動画像の撮影も可能なコンパクトカメラや一眼レフカメラで、撮像機能、計時機能、連続撮影機能などを備えている。連続撮影機能は、シャッタキー押下操作に応答して複数枚連写する機能、つまり、撮影開始指示（シャッタキー押下操作）から終了指示（シャッタキー押下の解放操作）までの間、静止画像を複数枚連続して撮影する連写機能であり、例えば、１０枚／秒の連続撮影を可能としたものである。
【００１６】
制御部１は、図示省略した電源部（二次電池）からの電力供給によって動作し、ＲＯＭ２内の各種のプログラムに応じてこのデジタルカメラの全体動作を制御するもので、ＤＳＰあるいはＣＰＵを有すると共にＲＡＭを有する構成となっている。そして、制御部１は、キー入力部３からの入力信号に基づいてその操作キーに応じた処理として、例えば、撮影処理、連続撮影処理、コントラスト検出方式の自動焦点調整（コントラストＡＦ）処理、自動露出調整（ＡＥ）処理、画像再生処理などを実行するようにしている。ＲＯＭ２内には、後述する図３に示した動作手順に応じて本実施形態を実現するためのプログラムや各種のアプリケーションなどが格納されている。
【００１７】
キー入力部３は、図示省略したが、押しボタン式のキーとして、撮影を指示するシャッタキーと、各種の動作モードに切り替えるモード変更キーと、露出やシャッタスピードなどの撮影条件の設定操作などを行うための各種のキーなどを備えている。なお、モード変更キーは、撮影可能な状態とする撮影モードと撮影済み画像を再生する再生モードとを切り替えたり、更に撮影モードとして、シャッタキー操作で静止画像を複数枚連続して撮影する連続撮影モード（連写モード）とシャッタキー操作で静止画像を一枚撮影する単一撮影モード（単写モード）とを切り替えたりする。
【００１８】
レンズユニット４は、ズームレンズ４ａ、フォーカスレンズ（合焦レンズ）４ｂ、絞り４ｃ、ＮＤ（減光）フィルタ４ｄ、シャッタ４ｅ、撮像素子（ＣＣＤあるいはＣＭＯＳ）４ｆを有し、駆動制御部５は、制御部１からの制御信号に応じてズームレンズ４ａ、フォーカスレンズ４ｂ、絞り４ｃ、ＮＤフィルタ４ｄ、シャッタ４ｅを駆動することによりズーム調整、焦点調整、露出調整、撮影開始／終了を制御するようにしている。このズームレンズ４ａ、フォーカスレンズ４ｂなどの光学レンズ系からの被写体像が所定のタイミング毎に撮像素子４ｆに結像されて光電変換された画像信号（アナログ値の信号）は、撮影データ処理部６に入力されて処理される。なお、ストロボ駆動部７は、制御部１からの制御に応じてストロボ発光部８を駆動させる回路である。
【００１９】
撮影データ処理部６は、入力された画像信号に対して色分離やＲＧＢの色成分毎のゲイン調整などを行った後にデジタル値の画像データに変換すると共に、この画像データに対して色補間処理（デモザイク処理）などのカラープロセス処理を行い、デジタル値の輝度信号、色差信号を生成してＤＭＡコントローラ９に対して出力する。ＤＭＡコントローラ９は、入力されたデジタル値の輝度信号、色差信号をＤＲＡＭインタフェース（Ｉ／Ｆ）１０を介してＤＲＡＭ１１にＤＭＡ転送する。
【００２０】
コントラスト値出力部１２及びＡＦ演算部１３は、コントラスト検出方式の自動焦点調整（コントラストＡＦ）機能を構成するもので、コントラスト値出力部１２は、撮影データ処理部６を介して入力された撮像画像の信号から周波数帯域の成分を取り出してＡＦ演算部１３に対して出力すると、ＡＦ演算部１３は、この周波数帯域の成分に基づいてコントラス値を求めながらそのピーク値を算出し、そのピーク位置を焦点位置とするためのレンズ駆動信号を駆動制御部５に対して出力してフォーカスレンズ４ｂを移動させる。
【００２１】
上述したＤＲＡＭ１１内の１フレーム分の画像信号は、ＤＲＡＭインタフェース１０を介してＶＲＡＭ１４に書き込まれた後に、ＶＲＡＭコントローラ１５を介して表示部１６から表示される。表示部１６は、高精細液晶ディスプレイあるいは有機ＥＬ（Electro  Luminescence）ディスプレイで、撮影画像（ライブビュー画像）を表示するモニタ画面（ライブビュー画面）となったり、撮影済み画像を再生する再生画面となったりする。また、ＤＲＡＭ１１内の１フレーム分の画像信号は、ＪＰＥＧ（Joint  Photographic  Experts  Group）回路１７により符号化されてカードインタフェース（Ｉ／Ｆ）１８を介してメモリカード１９に書き込まれる。
【００２２】
図２は、第１実施形態における連続撮影時の動作タイミングを説明するためのタイミングチャートである。
図中、「露出演算」、「閉」、「ＡＦ処理」、「撮影処理」の意味は、従来例を説明するための図１０の場合と同様であるが、第１実施形態においては、図１０の「開」の動作、つまり、絞り４ｃ、ＮＤフィルタ４ｄを駆動してそれを開放させる動作は行わないようにしている。すなわち、第１実施形態においては、連続撮影の開始時（シャッタキー押下操作の開始時）には露出の調整設定のみを行い、その開始以降の連続撮影時には焦点の調整設定のみを行うようにしている。
【００２３】
先ず、シャッタキー押下操作の開始に応答して被写体の明るさに応じて適正な露出値を求める「露出演算」を行った後、図１０の「開」の動作は行わず、直ちに「閉」、つまり、上述の演算結果に応じて絞り４ｃ、ＮＤフィルタ４ｄを駆動して撮影用として適正な露出を調整設定する動作に移るようにしている。なお、第１実施形態において「絞り４ｃ、ＮＤフィルタ４ｄ」とは、絞り４ｃ及びＮＤフィルタ４ｄをそれぞれ駆動する場合であってもよく、また、絞り４ｃ、ＮＤフィルタ４ｄのいずれか一方を駆動する場合であってもよいことを意味している（以下、同様）。そして、ＡＦ処理を行った後は、「開」を行わずに、直ちに「撮影処理」に移行するようにしている。
【００２４】
このようにして１枚目の撮影が終わると、２枚目以降の撮影に移るが、この２枚目以降の撮影時には、絞り４ｃ、ＮＤフィルタ４ｄの設定値を固定したままの状態においてシャッタキー押下操作が解放される撮影終了までの間、撮影毎に「ＡＦ処理」、「撮影処理」を順次繰り返す。すなわち、シャッタキー押下操作の開始時には絞り４ｃ、ＮＤフィルタ４ｄを開放させる動作は行わずに適正露出の調整設定のみを行い、その開始以降の連続撮影時には露出の設定値を固定したままの状態で焦点の設定のみを行うようにしている。
【００２５】
次に、第１実施形態におけるデジタルカメラの動作概念を図３に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。なお、図３は、カメラの全体動作のうち、本実施形態の特徴部分（撮影モード時）の動作概要を示したフローチャートであり、この図３のフローから抜けた際には、全体動作のメインフロー（図示省略）に戻る。
【００２６】
図３は、上述のモード変更キーの操作によって撮影モードに切り替えられた際に実行開始されるフローチャートである。
先ず、制御部１は、ユーザ操作により撮影モードに切り替えられると、シャッタキー押下操作の有無を調べ（ステップＡ１）、シャッタキー押下操作が行われるまで待機状態となる。いま、シャッタキー押下操作が行われたときには（ステップＡ１でＹＥＳ）、被写体の明るさに合わせて適正な露出値を求める自動露出演算（ＡＥ）を行い（ステップＡ２）、その後、現在の撮影モードは、連続撮影モード（連写モード）であるかを調べる（ステップＡ３）。
【００２７】
ここで、現在の撮影モードが連写モードでなければ（ステップＡ３でＮＯ）、単一の撮影を行う単一撮影モード（単写モード）に切り替えられている場合であると判断して、ステップＡ４〜ステップＡ７の実行に移る。先ず、単写モードにおいては、図１０に示すように、絞り４ｃ、ＮＤフィルタ４ｄを駆動してそれを開放（ステップＡ４）させた後、コントラスト値のピークをサーチして合焦するコントラストＡＦ処理を行う（ステップＡ５）。そして、上述した露出の演算結果に応じて絞り４ｃ、ＮＤフィルタ４ｄを駆動して適正な露出に調整設定する処理（ステップＡ６）を行った後、上述のようにして調整した露出及び焦点に応じて撮影された画像を取り込み、この撮影画像に対して各種の処理を施して記録保存する撮影処理を行う（ステップＡ７）。そして、ステップＡ１３に移り、撮影モードが解除されたかを調べ、撮影モードのままであれば（ステップＡ１３でＮＯ）、最初のステップＡ１に戻り、シャッタキー操作待ちとなるが、撮影モードが解除されたときには（ステップＡ１３でＹＥＳ）、図３のフローから抜ける。
【００２８】
一方、連写モードに切り替えられたときには（ステップＡ３でＹＥＳ）、図２に示すように、絞り４ｃ、ＮＤフィルタ４ｄを駆動してそれを開放させる動作は行わず、直ちに「閉」の動作として、上述の露出の演算結果に応じて絞り４ｃ、ＮＤフィルタ４ｄを駆動して適正な露出に調整設定する処理に移る（ステップＡ８）。そして、コントラスト値生成用フィルタ設定選択処理（ステップＡ９）を行った後、コントラストＡＦ処理に移る（ステップＡ１０）。ここで、コントラスト値生成用フィルタ設定選択処理は、コントラスト検出方式により焦点を調整するＡＦ処理を実行する前に、コントラストの低下を補正するための処理である。
【００２９】
すなわち、第１実施形態においては、上述したように絞り４ｃ、ＮＤフィルタ４ｄを駆動してそれを開放（絞り４ｃ、ＮＤフィルタ４ｄの開放）させる動作を行わずに、絞り４ｃ、ＮＤフィルタ４ｄを駆動して撮影用として露出を設定した状態でＡＦ処理を行うようにしているために、ＡＦ処理時のコントラスの変化状態は、絞り４ｃ、ＮＤフィルタ４ｄの開放時に比べて、小さな値になると共に、全体的になだらかに変化するようになる。図４は、この場合の様子として、絞り４ｃ、ＮＤフィルタ４ｄの開放時におけるコントラスト値の変化と、その開放を行わずに、絞り４ｃ、ＮＤフィルタ４ｄを駆動して撮影用として露出を設定したときのコントラスト値（撮影用絞り４ｃ、ＮＤフィルタ４ｄ設定時のコントラス値）の変化を示した図である。なお、図中、縦軸は、コントラスト値を示し、横軸は、無限遠側（図中、左方向）から至近側（図中、右方向）までの焦点の合わせ可能位置を示している。
【００３０】
このように絞り４ｃ、ＮＤフィルタ４ｄを開放させずに、撮影用の露出を設定すると、その設定時のコントラス値の変化は、開放時に比べて小さくなり、かつ、なだらかになるために、第１実施形態においては、コントラスト値生成用フィルタ設定選択処理（ステップＡ９）を実行することにより、撮影用絞り４ｃ、ＮＤフィルタ４ｄ設定時のコントラス値を、コントラスト値生成用フィルタを用いて絞り４ｃ、ＮＤフィルタ４ｄ開放時のコントラストに近づけるようにコントラストを補正するようにしている。
【００３１】
図５は、コントラスト値生成用フィルタ設定選択処理（ステップＡ９）において、コントラスト値生成用フィルタを用いて撮影用絞り４ｃ、ＮＤフィルタ４ｄ設定時のコントラス値が絞り４ｃ、ＮＤフィルタ４ｄ開放時に近づくように大きく変化させた場合を示した図である。なお、図４と同様に、図中、縦軸は、コントラスト値を示し、横軸は、無限遠側（図中、左方向）から至近側（図中、右方向）までの焦点の合わせ可能位置を示している。このコントラスト値生成用フィルタ設定選択処理では、撮影用絞り４ｃ、ＮＤフィルタ４ｄ設定値に応じてコントラスト値生成用フィルタを選択するようにしている。
【００３２】
図６は、このコントラスト値生成用フィルタの設定値を決定するためのフィルタ設定テーブルＦＴを示した図である。この図示の例では、絞り４ｃ、ＮＤフィルタ４ｄ開放時の設定値（０）に対応してコントラスト値生成用フィルタの設定値（０）が記憶されている場合を示し、また、絞り４ｃ、ＮＤフィルタ４ｄ開放時の設定値（１）に対応してコントラスト値生成用フィルタの設定値（１）が記憶され、更に、絞り４ｃ、ＮＤフィルタ４ｄ開放時の設定値（２）に対応してコントラスト値生成用フィルタの設定値（２）が記憶されている場合を示している。ここで、コントラスト値生成用フィルタの設定値は（０）＜（１）＜（２）の関係にあり、（０）＜（１）＜（２）にしたがって明るくなる関係となっている。制御部１は、例えば、撮影用絞り４ｃ、ＮＤフィルタ４ｄ設定値が（１）であれば、設定値（１）のコントラスト値生成用フィルタを選択し、撮影用絞り４ｃ、ＮＤフィルタ４ｄ設定値が（２）であれば、設定値（２）のコントラスト値生成用フィルタを選択する。
【００３３】
そして、ＡＦ処理（ステップＡ１０）を行った後は、「開」を行わずに、直ちに撮影処理（ステップＡ１１）に移行し、上述のように調整した露出及び焦点に応じて撮影された画像を取り込み、この撮影画像に対して各種の処理を施して記録保存する処理を行う。これによって１枚目の撮影が終わると、シャッタキー押下操作中であるかを調べ（ステップＡ１２）、押下操作中であれば（ステップＡ１２でＹＥＳ）、２枚目以降の撮影を行うために上述のステップＡ１０に戻り、絞り４ｃ、ＮＤフィルタ４ｄの設定値を固定したままの状態で２枚目以降の撮影に移り、以下、ＡＦ処理（ステップＡ１０）、撮影処理（ステップＡ１１）を順次繰り返す。ここで、シャッタキー押下操作が解放されて連続撮影の終了が指示されると（ステップＡ１２でＮＯ）、撮影モードが解除されたかを調べ（ステップＡ１３）、撮影モードのままであれば（ステップＡ１３でＮＯ）、最初のステップＡ１に戻り、シャッタキー操作待ちとなるが、撮影モードが解除されたときには（ステップＡ１３でＹＥＳ）、図３のフローから抜ける。
【００３４】
以上のように、第１実施形態において、制御部１からの制御信号に応じて駆動制御部５は、レンズユニット４内のフォーカスレンズ４ｂ、絞り４ｃ、ＮＤフィルタ４ｄ、シャッタ４ｅ、撮像素子４ｆを制御することにより、連続撮影の開始時（シャッタキー押下開始時）には露出の調整設定のみを行わせ、その開始以降の連続撮影時には焦点の調整設定のみを行わせるようにしたので、動きの激しい被写体を連続撮影するような場合であっても焦点の合った高画質を維持しながら連続撮影の高速化を実現することができる、実用性に優れたものとなる。
【００３５】
シャッタキー押下開始時には絞り４ｃ、ＮＤフィルタ４ｄを開放させる動作は行わずに露出の調整設定のみを行い、その開始以降の連続撮影時には露出の設定値を固定したままの状態で焦点の設定のみを行うようにしたので、従来のように連続撮影毎に行う絞り４ｃ、ＮＤフィルタ４ｄの開放動作と絞り４ｃ、ＮＤフィルタ４ｄの設定動作を省略することができ、それだけ連続撮影を高速化することが可能となる。
【００３６】
被写体画像のコントラスト値に応じて焦点を調整するコントラスト検出方式により焦点を調整する際に、絞り４ｃ、ＮＤフィルタ４ｄを開放させる動作を行わないことによるコントラストの低下を補正するようにしたので、ＡＦ処理時にコントラストのピークをサーチする際に、そのサーチがし易くなる。
【００３７】
コントラストを補正する場合に、絞り４ｃ、ＮＤフィルタ４ｄを開放させたときのコントラストに近づけるようにしたので、ＡＦ処理時にコントラストのピークをサーチする際に、更に、そのサーチがし易くなる。
【００３８】
単写モードと連写モードに切り替え可能とし、単写モードに切り替えられているときには、絞り４ｃ、ＮＤフィルタ４ｄを開放させる動作を行った後、露出調整を行って適正露出に設定するようにしたので、ユーザにあっては連写モード時には高速化を優先させ、単写モード時には高画質化を優先させる、といった選択が可能となる。
【００３９】
なお、第１実施形態においては、単写モードと連写モードに切り替え可能とするようにしたが、これに限らず、例えば、第１の連写モードと第２の連写モードに切り替え可能とするようにしてもよい。この場合、第１の連写モードにおいてシャッタキー押下開始時には、ＮＤフィルタ４ｄを開放させる動作は行わずに露出の調整設定のみを行い、その開始以降の連続撮影時には露出の設定値を固定したままの状態で焦点の設定のみを行うようにし、また、第２の連写モードにおいては図１０の場合と同様に、撮影毎に絞り４ｃ、ＮＤフィルタ４ｄを開放させる動作を行った後に、ＡＦ処理を行ってから露出調整を行って適正露出に設定するようにしてもよい。
【００４０】
また、第１実施形態においては、単写モードと連写モードに切り替え可能とするようにしたが、これに限らず、複数の連写モードを切り替え可能としてもよい。例えば、連続撮影の開始時には露出の調整設定のみを行い、その開始以降の連続撮影時には焦点の調整設定のみを行う第１の連写モードと、絞り４ｃ、ＮＤフィルタ４ｄを開放させた後に焦点調整を行わせてから適正露出に設定する第２の連写モードとを切り替え可能としてもよい。このように第１の連写モードと第２の連写モードとを切り替え可能とすることによりユーザにあっては適宜適切な方式（第１の連写モード、第２の連写モード）を選ぶことができる。
【００４１】
この場合、第１の連写モードと第２の連写モードとの切り替えを所定の条件、例えば、連写速度に応じて第１の連写モードと第２の連写モードとを自動的に切り替えるようにしてもよい。すなわち、連写速度が速い場合には、第１の連写モードに切り替え、遅い場合には、第２の連写モードに切り替えれば、連写速度に応じて第１の連写モードと第２の連写モードとを自動的に切り替えることが可能となる。
【００４２】
（第２実施形態）
以下、この発明の第２実施形態について図７〜図９を参照して説明する。
なお、上述した第１実施形態においては、シャッタキー押下開始時には絞り４ｃ、ＮＤフィルタ４ｄを開放させる動作は行わずに露出の調整設定のみを行い、その開始以降の連続撮影時には露出の設定値を固定したままの状態で焦点の設定のみを行うようにしたが、この第２実施形態においては、コントラストＡＦ処理中に露出調整を並列的に実行するようにしたものである。ここで、両実施形態において基本的あるいは名称的に同一のものは、同一符号を付して示し、その説明を省略すると共に、以下、第２実施形態の特徴部分を中心に説明するものとする。
【００４３】
図７は、コントラストＡＦ処理の一般的な動作を説明するための図である。
なお、図中、（１）〜（３）は、コントラストＡＦ処理の動作手順を示し、コントラストＡＦ機能は、手順（１）〜（３）の順序で動作する。先ず、手順（１）では、フォーカスレンズ４ｂを現在位置からサーチ開始位置まで移動させるための準備処理を行う。次に、手順（２）では、フォーカスレンズ４ｂをサーチ開始位置から徐々に移動させながらコントラスト値をサーチするサーチ処理を行う。そして、最後の手順（３）では、コントラスト値のピーク点を検出してフォーカスレンズ４ｂをそのピーク位置に移動させる合焦処理を行う。以下、コントラストＡＦ処理を実行する毎に準備処理、サーチ処理、合焦処理を行う。
【００４４】
図８は、第２実施形態における連続撮影時の動作タイミングを説明するためのタイミングチャートである。
図中、「露出演算」、「開」、「閉」、「ＡＦ処理」、「撮影処理」の意味は、従来例を説明する図１０の場合と同様であるが、第２実施形態においては、露出調整の「開」、「閉」については、コントラストＡＦ処理の期間中に並列的に実行するようにしている。シャッタキー押下操作の開始に応答して被写体の明るさに応じて適正な露出値を求める「露出演算」を行った後、コントラストＡＦ処理に移るが、このコントラストＡＦ処理のうち、先ず、手順（１）の準備処理中に「開」の動作として、絞り４ｃ、ＮＤフィルタ４ｄを駆動してそれを開放させる「開」を並列的に行う。その後、手順（３）の合焦処理中に「閉」の動作として、絞り４ｃ、ＮＤフィルタ４ｄを駆動して適正な露出に調整設定する「閉」を並列的に行う。なお、第２実施形態においても「絞り４ｃ、ＮＤフィルタ４ｄ」とは、絞り４ｃ及びＮＤフィルタ４ｄをそれぞれ駆動する場合であってもよく、また、絞り４ｃ、ＮＤフィルタ４ｄのいずれか一方を駆動する場合であってもよいことを意味している（以下、同様）。以下、コントラストＡＦ処理毎に、その準備処理中に「開」の動作を、合焦処理中に「閉」の動作を並列的に行う。
【００４５】
図９は、第２実施形態においてモード変更キーの操作によって撮影モードに切り替えられた際に実行開始されるフローチャートである。
先ず、制御部１は、撮影モードに切り替えられると、シャッタキー押下操作の有無を調べ（ステップＢ１）、シャッタキー押下操作が行われるまで待機状態となる。いま、シャッタキー押下操作が行われると（ステップＢ１でＹＥＳ）、被写体の明るさに合わせて適正な露出値を求める自動露出演算（ＡＥ）を行う（ステップＢ２）。そして、現在の撮影モードは、連続撮影モード（連写モード）であるかを調べる（ステップＢ３）。
【００４６】
ここで、単写モードであれば（ステップＢ３でＮＯ）、図１０に示すように、絞り４ｃ、ＮＤフィルタ４ｄを駆動してそれを開放（ステップＢ４）させた後、コントラスト値のピークをサーチして合焦するコントラストＡＦ処理を行う（ステップＢ５）。そして、上述した露出の演算結果に応じて絞り４ｃ、ＮＤフィルタ４ｄを駆動して適正な露出に調整設定する処理（ステップＢ６）を行った後、調整した露出及び焦点に応じて撮影された画像を取り込み、この撮影画像に対して各種の処理を施して記録保存する撮影処理を行う（ステップＢ７）。そして、ステップＢ１５に移り、撮影モードが解除されたかを調べ、撮影モードのままであれば（ステップＢ１５でＮＯ）、最初のステップＢ１に戻り、シャッタキー操作待ちとなるが、撮影モードが解除されたときには（ステップＢ１５でＹＥＳ）、図９のフローから抜ける。
【００４７】
一方、連写モードに切り替えられているときには（ステップＢ３でＹＥＳ）、コントラストＡＦ処理（ステップＢ８〜Ｂ９）に移る。先ず、手順（１）の準備処理としてフォーカスレンズ４ｂを現在位置からサーチ開始位置まで移動させる（ステップＢ８）。これと同時に絞り４ｃ、ＮＤフィルタ４ｄを駆動してそれを開放させる処理を並列的に行う（ステップＢ１１）。次に、手順（２）のサーチ処理としてフォーカスレンズ４ｂをサーチ開始位置から徐々に移動させながらコントラスト値をサーチする（ステップＢ９）。そして、手順（３）の合焦処理としてコントラスト値のピーク点を検出してフォーカスレンズ４ｂをそのピーク位置に移動させる（ステップＢ１０）。これと同時に上述した露出の演算結果に応じて絞り４ｃ、ＮＤフィルタ４ｄを駆動して適正な露出に調整設定する処理を並列的に行う（ステップＢ１２）。
【００４８】
そして、撮影処理（ステップＢ１３）に移行し、上述のように調整した露出及び焦点に応じて撮影された画像を取り込み、この撮影画像に対して各種の処理を施して記録保存する処理を行う。これによって１枚目の撮影が終わると、シャッタキー押下操作中であるかを調べ（ステップＢ１４）、押下操作中であれば（ステップＢ１４でＹＥＳ）、２枚目以降の撮影を行うために上述のステップＢ８に戻り、以下、ＡＦ処理と露出調整処理とを並列的に行う動作を繰り返す（ステップＢ８〜Ｂ１２）。そして、シャッタキー押下操作が解放されて連続撮影の終了が指示されると（ステップＢ１４でＮＯ）、撮影モードが解除されたかを調べ（ステップＢ１５）、撮影モードのままであれば（ステップＢ１５でＮＯ）、最初のステップＢ１に戻り、シャッタキー操作待ちとなるが、撮影モードが解除されたときには（ステップＢ１５でＹＥＳ）、図９のフローから抜ける。
【００４９】
以上のように、第２実施形態において制御部１からの制御信号に応じて駆動制御部５は、レンズユニット４内のフォーカスレンズ４ｂ、絞り４ｃ、ＮＤフィルタ４ｄ、シャッタ４ｅ、撮像素子４ｆを制御することにより、連続撮影毎にＡＦ処理中に露出調整処理を並列的に実行するようにしたので、動きの激しい被写体を連続撮影するような場合であっても焦点の合った高画質を維持しながら連続撮影の高速化を実現することができ、実用性に優れたものとなる。
【００５０】
コントラストＡＦ処理において、フォーカスレンズ４ｂをサーチ開始位置まで戻している準備処理中に絞り４ｃ、ＮＤフィルタ４ｄを開放させ、フォーカスレンズ４ｂをコントラスト値のピーク（サーチ位置）に移動させている期間中に絞り４ｃ、ＮＤフィルタ４ｄの設定を制御するようにしたので、適切なタイミングでＡＦ処理と露出調整処理とを並列的に実行させることができる。
【００５１】
なお、上述した第１実施形態の連写モードでは連続撮影の開始時には露出の調整設定のみを行い、その開始以降の連続撮影時には焦点の調整設定のみを行うようにし、また、第２実施形態の連写モードでは連続撮影毎にＡＦ処理中に露出調整処理を並列的に行うようにしたが、この第１実施形態と第２実施形態の連写モードを任意に選択可能としてもよい。すなわち、連続撮影の開始時には露出の調整設定のみを行い、その開始以降の連続撮影時には焦点の調整設定のみを行う第１の連写モードと、連続撮影毎にＡＦ処理中に露出調整処理を並列的に行う第２の連写モードとを設けて切り替え可能としてもよい。このように第１の連写モードと第２の連写モードを切り替え可能とすることによりユーザにあっては適宜適切な方式（第１の連写モード、第２の連写モード）を選ぶことができる。
【００５２】
この場合、第１の連写モードと第２の連写モードとの切り替えを所定の条件、例えば、被写体や撮影環境の明るさに応じて第１の連写モードと第２の連写モードとを自動的に切り替えるようにしてもよい。すなわち、明るい場合には、第１の連写モードに切り替え、暗い場合には、第２の連写モードに切り替えれば、明るさに応じて第１の連写モードと第２の連写モードとを自動的に切り替えることが可能となる。
【００５３】
また、連続撮影毎にＡＦ処理中に露出調整処理を並列的に実行する第２の連写モードと、絞り４ｃ、ＮＤフィルタ４ｄを開放させた後に焦点調整を行わせてから適正露出に設定する第３の連写モードとを切り替え可能としてもよい。このように第２の連写モードと第３の連写モードとを切り替え可能とすることによりユーザにあっては適宜適切な方式（第２の連写モード、第３の連写モード）を選ぶことができる。
【００５４】
この場合、第２の連写モードと第３の連写モードとの切り替えを所定の条件、例えば、連写速度に応じて第２の連写モードと第３の連写モードとを自動的に切り替えるようにしてもよい。すなわち、連写速度が速い場合には、第２の連写モードに切り替え、遅い場合には、第３の連写モードに切り替えれば、連写速度に応じて第２の連写モードと第３の連写モードとを自動的に切り替えることが可能となる。
【００５５】
なお、上述した各実施形態においては、撮像装置としてデジタルカメラに適用した場合を例示したが、これに限らず、カメラ機能付きパーソナルコンピュータ・スマートフォン・ＰＤＡ（個人向け携帯型情報通信機器）・音楽プレイヤーなどであってもよい。
【００５６】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５７】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
撮影の開始指示から終了指示まで複数枚連続して撮影する連続撮影手段を備えた撮像装置であって、
合焦レンズを移動させて焦点を調整して設定する焦点調整手段と、
被写体の明るさに応じて所定の露出条件を調整して設定する露出調整手段と、
前記焦点調整手段、前記露出調整手段のうち、前記連続撮影手段による撮影開始時には前記露出調整手段による露出の調整設定のみを行わせ、その開始以降の連続撮影時には前記焦点調整手段による焦点の調整設定のみを行わせるように前記焦点調整手段及び前記露出調整手段の駆動を制御する駆動制御手段と、
を備えたことを特徴とする撮像装置である。
（請求項２）
請求項２に記載の発明は、請求項１に記載の撮像装置において、
前記駆動制御手段は、前記開始以降の連続撮影時には、前記連続撮影手段による撮影開始時に前記露出調整手段によって設定された所定の露出条件である少なくとも絞り、減光フィルタのいずれかを適正な露出に固定させた状態において前記焦点調整手段による焦点の調整設定のみを行わせる、
ようにしたことを特徴とする撮像装置である。
（請求項３）
請求項３に記載の発明は、請求項１あるいは請求項２に記載の撮像装置において、
前記焦点調整手段は、被写体画像のコントラスト値に応じて焦点を調整するコントラスト検出方式の焦点調整手段であり、
前記被写体画像のコントラスト値に応じて焦点を調整する際に、コントラストの低下を補正する補正手段を更に備える、
ようにしたことを特徴とする撮像装置である。
（請求項４）
請求項４に記載の発明は、請求項３に記載の撮像装置において、
前記補正手段は、少なくとも絞り、減光フィルタのいずれかを開放したときのコントラストに近づけるようにコントラストを補正する、
ようにしたことを特徴とする撮像装置である。
（請求項５）
請求項５に記載の発明は、請求項１〜請求項４のいずれかに記載の撮像装置において、
前記連続撮影手段による連続撮影と、撮影指示に応じて単一の撮影を行う単一撮影とを切り替える切替手段を更に備え、
前記駆動制御手段は、単一撮影時には、少なくとも絞り、減光フィルタのいずれかを開放させた後に、前記焦点調整手段による焦点調整を行わせて焦点を適正に設定する、
ようにしたことを特徴とする撮像装置である。
（請求項６）
請求項６に記載の発明は、請求項１〜請求項４のいずれかに記載の撮像装置において、
前記駆動制御手段は、前記連続撮影手段による連続撮影毎に、前記連続撮影手段による撮影開始時には前記露出調整手段による露出の調整設定のみを行わせ、その開始以降の連続撮影時には前記焦点調整手段による焦点の調整設定のみを行わせるように制御する第１の動作モードと、少なくとも絞り、減光フィルタのいずれかを開放させた後に前記焦点調整手段による焦点調整を行わせてから前記露出調整手段による露出調整を行わせて適正露出に設定するように制御する第２の動作モードとを切り替える、
ようにしたことを特徴とする撮像装置。
（請求項７）
請求項７に記載の発明は、請求項６に記載の撮像装置において、
前記駆動制御手段は、前記第１の動作モードと第２の動作モードとを所定の条件に応じて切り替える、
ようにしたことを特徴とする撮像装置。
（請求項８）
請求項８に記載の発明は、
撮影の開始指示から終了指示まで複数枚連続して撮影する連続撮影手段を備えた撮像装置であって、
被写体画像のコントラスト値に応じて合焦レンズを移動させながら焦点を調整して設定するコントラスト検出方式の焦点調整手段と、
被写体の明るさに応じて露出を調整して設定する露出調整手段と、
前記連続撮影手段による連続撮影毎に、前記焦点調整手段による焦点の調整設定を行わせると共にその調整中に前記露出調整手段による露出の調整設定を並列的に行わせるように前記焦点調整手段及び前記露出調整手段の駆動を制御する駆動制御手段と、
を備えたことを特徴とする撮像装置である。
（請求項９）
請求項９に記載の発明は、請求項８に記載の撮像装置において、
前記焦点調整手段は、被写体画像のコントラスト適正値をサーチするに先立って、前記合焦レンズをサーチ開始位置まで戻した後に、前記合焦レンズを移動させながら被写体画像のコントラスト値が適正値であるかをサーチして、そのサーチ位置に前記合焦レンズを移動させることより焦点を調整し、
前記駆動制御手段は、前記焦点調整手段が前記合焦レンズをサーチ開始位置まで戻している期間中に前記露出調整手段を制御して、少なくとも絞り、減光フィルタのいずれかを開放させ、前記サーチ位置に前記合焦レンズを移動させている期間中に少なくとも前記絞り、減光フィルタのいずれかの設定を制御する、
ようにしたことを特徴とする撮像装置である。
（請求項１０）
請求項１０に記載の発明は、請求項８あるいは請求項９に記載の撮像装置において、
前記駆動制御手段は、前記連続撮影手段による連続撮影毎に、前記連続撮影手段による撮影開始時には前記露出調整手段による露出の調整設定のみを行わせ、その開始以降の連続撮影時には前記焦点調整手段による焦点の調整設定のみを行わせるように制御する第１の動作モードと、前記焦点調整手段による焦点の調整設定を行わせると共にその調整中に前記露出調整手段による露出の調整設定を並列的に行わせるように制御する第２の動作モードとを切り替える、
ようにしたことを特徴とする撮像装置である。
（請求項１１）
請求項１１に記載の発明は、請求項１０に記載の撮像装置において、
前記駆動制御手段は、前記第１の動作モードと第２の動作モードとを所定の条件に応じて切り替える、
ようにしたことを特徴とする撮像装置である。
（請求項１２）
請求項１２に記載の発明は、請求項８〜請求項１１のいずれかに記載の撮像装置において、
前記駆動制御手段は、前記連続撮影手段による連続撮影毎に、前記焦点調整手段による焦点の調整設定を行わせると共にその調整中に前記露出調整手段による露出の調整設定を並列的に行わせるように制御する第２の動作モードと、少なくとも絞り、減光フィルタのいずれかを開放させた後に前記焦点調整手段による焦点調整を行わせてから前記露出調整手段による露出調整を行わせて適正露出に設定するように制御する第３の動作モードとを切り替える、
ようにしたことを特徴とする撮像装置である。
（請求項１３）
請求項１３に記載の発明は、請求項１２に記載の撮像装置において、
前記駆動制御手段は、前記第２の動作モードと前記第３の動作モードとを所定の条件に応じて切り替える、
ようにしたことを特徴とする撮像装置である。
（請求項１４）
請求項１２に記載の発明は、
合焦レンズを移動させて焦点を調整して設定する焦点調整手段と、被写体の明るさに応じて所定の露出条件を調整して設定する露出調整手段のうち、撮影の開始指示から終了指示まで複数枚連続して撮影する連続撮影手段による撮影開始時には前記露出調整手段による露出の調整設定のみを行わせるように制御するステップと、
前記開始以降の連続撮影時には前記焦点調整手段による焦点の調整設定のみを行わせるように制御するステップと、
を含むことを特徴とする撮像処理方法である。
（請求項１５）
請求項１５に記載の発明は、
コンピュータに対して、
撮影の開始指示から終了指示まで複数枚連続して撮影する機能と、
合焦レンズを移動させて焦点を調整して設定する機能と、
被写体の明るさに応じて所定の露出条件を調整して設定する機能と、
前記複数枚の連続撮影の開始時には前記露出の調整設定のみを行わせ、その開始以降の連続撮影時には前記焦点の調整設定のみを行わせるように制御する機能と、
を実現させるためのプログラムである。
（請求項１６）
請求項１６に記載の発明は、
撮影の開始指示から終了指示まで複数枚連続して撮影する連続撮影毎に、被写体画像のコントラスト値に応じて合焦レンズを移動させながら焦点を調整して設定する処理を行わせるように制御するステップと、
前記焦点の調整中に被写体の明るさに応じて露出を調整して設定する処理を並列的に行わせるように制御するステップと、
を含むことを特徴とする撮像処理方法である。
（請求項１７）
請求項１７に記載の発明は、
コンピュータに対して、
撮影の開始指示から終了指示まで複数枚連続して撮影する連続撮影する機能と、
前記連続撮影毎に、被写体画像のコントラスト値に応じて合焦レンズを移動させながら焦点を調整して設定する機能と、
被写体の明るさに応じて露出を調整して設定する機能と、
前記焦点の調整設定を行わせると共にその調整中に前記露出の調整設定を並列的に行わせるように制御する機能と、
を実現させるためのプログラムである。
【符号の説明】
【００５８】
１  制御部
２  ＲＯＭ
３  キー入力部
４ｂ  フォーカスレンズ
４ｃ  絞り
４ｄ  ＮＤ（減光）フィルタ
４ｅ  シャッタ
４ｆ  撮像素子
６  撮影データ処理部
１２  コントラスト値出力部
１３  ＡＦ演算部
１６  表示部
【図１】
2014074829.tif 000003
【図２】
2014074829.tif 000004
【図３】
2014074829.tif 000005
【図４】
2014074829.tif 000006
【図５】
2014074829.tif 000007
【図６】
2014074829.tif 000008
【図７】
2014074829.tif 000009
【図８】
2014074829.tif 000010
【図９】
2014074829.tif 000011
【図１０】
2014074829.tif 000012